(57)【特許請求の範囲】
【請求項１】
原稿から複数の画像を読み取る読取部と、
該読取部が読み取った複数の画像を縮小した複数の縮小画像、及び、前記読取部が読み取った画像に対して実行する処理に対応する複数のオブジェクトを表示する表示部と、
前記表示部に表示された複数の縮小画像の選択を受け付ける画像選択受付部と、
前記表示部に表示されたオブジェクトの選択を受け付ける受付部と、
該受付部が受け付けた選択に係るオブジェクトに対応する処理を実行する実行部と
を備え、
該実行部は、
前記受付部で前記オブジェクトのいずれかが選択された場合、前記表示部に表示した複数の縮小画像に対応する全画像に対して、前記オブジェクトに対応する処理を実行し、
前記受付部で前記オブジェクトのいずれかが選択された場合に、前記画像選択受付部で縮小画像の選択を受け付けていたときは、選択に係る縮小画像に対応する画像に対してのみ、前記オブジェクトに対応する処理を実行するように構成してあることを特徴とする原稿読取装置。
【請求項２】
前記受付部及び前記画像選択受付部は、前記表示部の表示面を覆うタッチパネルであることを特徴とする請求項１に記載の原稿読取装置。
【発明の詳細な説明】
【技術分野】
【０００１】
本発明は、コピー機、スキャナ又はファクシミリ等のように、原稿を読み取って画像を取得する機能を備える原稿読取装置に関する。
【背景技術】
【０００２】
コピー機、ファクシミリ、スキャナ又はデジタル複合機等の原稿読取装置は、一般に、原稿を読み取り、原稿から画像読み取るＣＣＤ（Charge Coupled Devices）イメージセンサを有する光学ユニットを備えている。原稿読取装置は、ユーザの操作に従い、読み取った画像を、印刷用紙に印刷し、また、通信する外部装置に送信する。このような原稿読取装置において、画像を読み取った時点で、ユーザが確認できる機能を備えたものがある（例えば、特許文献１）。
【０００３】
特許文献１に記載されている画像処理装置は、読み取った画像に対して、色又は濃度等を変更する編集を行うことができ、さらに、編集の結果を液晶画面に表示する機能を備えている。これにより、例えば、読み取った画像を印刷用紙に印刷する場合、印刷する前の読み取った画像を確認できる。その結果、ユーザが、読み取った画像の印刷後に、所望の読み取り精度でないことが分かり、再び、原稿から画像を読み取り、又は、読み取った画像を編集する等の手間を省略できる。
【特許文献１】特開平８−２３４３７号公報
【発明の開示】
【発明が解決しようとする課題】
【０００４】
ところで、原稿読取装置は、上述のように、外部機器へ送信する機能又は印刷用紙に印刷する機能等を備えており、ユーザは、どの機能を実行させるかの入力をする必要がある。このため、特許文献１のように、読み取った画像を視覚的に把握できるだけでなく、実行させる機能が入力し易い原稿読取装置が望まれている。
【０００５】
本発明はかかる事情に鑑みてなされたものであり、その目的とするところは、原稿から読み取った画像に対して行う処理を入力する際の操作性を向上させるとともに、どの画像に対してどの処理を行うかを直感的に把握しやすくできる原稿読取装置を提供することにある。
【０００７】
さらに、本発明の他の目的とするところは、直感的な操作を行うことができる原稿読取装置を提供することにある。
【課題を解決するための手段】
【０００８】
本発明に係る原稿読取装置は、原稿から複数の画像を読み取る読取部と、該読取部が読み取った複数の画像を縮小した複数の縮小画像、及び、前記読取部が読み取った画像に対して実行する処理に対応する複数のオブジェクトを表示する表示部と、前記表示部に表示された複数の縮小画像の選択を受け付ける画像選択受付部と、前記表示部に表示されたオブジェクトの選択を受け付ける受付部と、該受付部が受け付けた選択に係るオブジェクトに対応する処理を実行する実行部とを備え、該実行部は、前記受付部で前記オブジェクトのいずれかが選択された場合、前記表示部に表示した複数の縮小画像に対応する全画像に対して、前記オブジェクトに対応する処理を実行し、前記受付部で前記オブジェクトのいずれかが選択された場合に、前記画像選択受付部で縮小画像の選択を受け付けていたときは、選択に係る縮小画像に対応する画像に対してのみ、前記オブジェクトに対応する処理を実行するように構成してあることを特徴とする。
【００１０】
さらに、本発明に係る原稿読取装置は、前記受付部及び前記画像選択受付部は、前記表示部の表示面を覆うタッチパネルであることを特徴とする。
【発明の効果】
【００１１】
本発明によれば、読み取った画像を縮小した縮小画像を、読み取った画像に対して実行する処理に対応するオブジェクトを表示することで、ユーザは、画像を確認しながら、実行する処理を選択できる。その結果、ユーザは、スムーズな操作を行うことができ、操作性を向上させることができる。また、縮小画像を選択し、選択した縮小画像に対して、選択されたオブジェクトに対応する処理を実行することで、どの画像に対してどの処理を行うかを直感的に把握しやすくなる。
【００１３】
本発明によれば、タッチパネルにより、ユーザは直感的な操作を行うことができ、操作性を向上させることができる。
【発明を実施するための最良の形態】
【００１４】
以下、本発明に係る原稿読取装置の好適な実施の形態について図面を参照して説明する。
【００１５】
本実施の形態においては、原稿読取装置としてデジタル複合機を例に説明を行う。デジタル複合機は、原稿の複写を行うコピー機能、ＰＳＴＮ（Public Switched Telephone Network：公衆電話回線網）を介してデータの送受信を行うファクシミリ機能、原稿から文字又は図形等の画像を読み取り、画像データを取得するスキャナ機能、及びＬＡＮ（Local Area Network）などのネットワークを介して与えられる画像データを印刷用紙に印刷するプリンタ機能等の複数の機能を備えている。
【００１６】
図１は、本実施の形態に係るデジタル複合機の構成を示すブロック図である。デジタル複合機は、デジタル複合機全体の動作を制御する制御部（実行部）１０を備えている。制御部１０は、ＣＰＵ（Central Processing Unit）、ＲＯＭ（Read Only Memory）、及びＲＡＭ（Random Access Memory）等により構成されるマイクロコンピュータである。制御部１０において、ＣＰＵがＲＯＭに予め記憶されたプログラム及びデータを読み出して実行することにより、デジタル複合機の各部の動作を制御すると共に、種々のソフトウェア的機能を実現する。
【００１７】
また、デジタル複合機は、記憶部１１、位置取得部１２、画像取得部１４、表示制御部１６、及び出力部１８をさらに備えており、それぞれがデータバス２１を介して制御部１０に接続されている。
【００１８】
記憶部１１は、例えばＤＲＡＭ（Dynamic RAM）又はフラッシュメモリ等の大容量のメモリ素子で構成してあり、ファクシミリ通信により受信した画像データ、又は、後述の画像取得部１４により取得した画像データ等を一時的に記憶する。なお、画像データは、制御部１０のＲＡＭに一時的に記憶される構成であってもよい。
【００１９】
位置取得部１２は、タッチパネル１３が接続されており、ユーザが指でタッチパネル１３を押した際に、そのタッチパネル１３の押された位置を検出する。タッチパネル１３は、後述する表示部１７が有する液晶画面に覆うように設けられている。タッチパネル１３は、透過性を有した材質で形成されており、ユーザは、タッチパネル１３を介して表示部１７に表示される画像を視認できる。また、タッチパネル１３は、透明導電膜が設けられた素材(例えばフィルム又はガラス)を有し、透明導電膜間が向い合う方向に貼り合わせられている。そして、ユーザが指で押した時に透明導電膜同士が接触することによって信号を出力する。位置取得部１２は、タッチパネル１３から出力された信号に基づいて、ユーザがタッチパネル１３のどの位置を押したかを検出する。
【００２０】
これにより、例えば、表示部１７にアイコン又はボタン等の画像を表示し、ユーザが指でタッチパネル１３を押した位置が、表示部１７に表示された画像部分と一致する場合に、その画像に対応する処理を実行させることができる。その結果、ユーザは、物理的なボタンを実際に押すかの如く、直感的な操作を行うことができるようになる。
【００２１】
画像取得部（読取部）１４は、ＣＣＤイメージセンサ１５が接続されており、原稿に印字された画像の電子的データである画像データを取得する。ＣＣＤイメージセンサ１５は、図示しない光源から原稿台にセットされた原稿に対して光が照射されたときに、原稿から反射した光を受光し、さらに電気信号に変換する。そして、画像取得部１４は、変換された電気信号をデジタルデータにさらに変換することで画像データを取得する。
【００２２】
なお、本実施の形態に係るデジタル複合機は、ユーザが、原稿を一枚ずつ原稿台にセットし原稿を読み取る以外に、ＡＤＦ（Automatic Document Feed、自動原稿送り装置）に複数頁の原稿をセットすることにより、複数頁の原稿を自動的に読み取ることが可能となっている。
【００２３】
表示制御部１６は、表示部１７が接続されており、表示部１７に表示する画像を形成する。具体的には、表示制御部１６は、図示しない画像制御ＩＣ（Integrated Circuit）、画像制御ＲＡＭ、及び画像ＲＯＭ等を備えている。画像制御ＩＣは、制御部１０で設定されたパラメータに基づいて画像制御プログラムに従って表示部１７での表示内容を決定する。画像制御ＲＡＭは、画像制御プログラムを画像制御ＩＣで実行するときの一時記憶手段（バッファ）として構成される。画像ＲＯＭは、表示部１７に表示する画像を形成するためのドットデータを格納する。
【００２４】
表示部１７は、表示制御部１６により制御され、デジタル複合機の動作状態、デジタル複合機の機能をユーザが選択するための選択メニュー、各機能の設定を行うための設定メニュー、及び操作案内又は警告メッセージ等のユーザへ通知する情報等を表示する。
【００２５】
出力部１８は、印刷部（実行部）１９及び通信部（実行部）２０が接続されており、各部に適した信号を出力する。印刷部１９は、半導体レーザ又はＬＥＤ等の光源、トナーを付着させる感光体、及びトナーを熱又は圧力で印刷媒体へ転写して定着させる定着部等を有している。印刷部１９は、Ａ３縦、Ｂ４縦、Ａ４縦、Ｂ５横及びＡ５横等の各サイズの印刷用紙から最適なサイズのものを選択して、記憶部１１に記憶された画像データの印刷を行う。通信部２０は、ＰＳＴＮ又はＬＡＮ等のネットワークを介して外部の通信機器とデータ通信可能に接続し、メールの送受信又はファクス通信等を可能にする。
【００２６】
次に、以上のように構成されるデジタル複合機をタッチパネル１３により操作する際に、表示部１７に表示される内容について説明する。
【００２７】
図２から図４は、デジタル複合機を操作する際に表示される内容を説明するための模式図であり、表示部１７に表示されるメニュー及びアイコン等の画像（オブジェクト）を模式的に図示してある。
【００２８】
まず、表示部１７には、図示しない「ユーザ選択画面」が表示される。そして、ユーザは、予め登録されたユーザ名を選択するか、若しくは、ユーザ名を入力する。その後、表示部１７には、図２に示す読取画面が表示される。読取画面では、ＡＤＦ又は原稿台へ原稿をセットするようユーザに促すためのメッセージ４１が表示される。さらに、ユーザが原稿の読み取り開始をデジタル複合機へ指示するためのアイコン４２、及びユーザ選択画面に表示を戻すためのアイコン４３が表示部１７に表示される。
【００２９】
なお、表示部１７にはタッチパネル１３が設けられているため、ユーザは、表示されたアイコン及びボタン等の画像部分を押すことで操作できる。以下の説明において、ユーザが表示部１７に表示された画像部分を押して、処理を開始させる操作を行うことを、単に「操作」と言う。
【００３０】
図２に示す読取画面において、原稿がセットされた状態でアイコン４２が操作されることにより、原稿の読み取りが開始される。原稿の読み取りが終了した後、表示部１７には、さらに原稿の読み取りを行うか否かをユーザに確認する確認画面（図３参照）が表示される。一方、アイコン４３が操作されることによって、表示部１７には、ユーザ選択画面が表示され、ユーザの選択を再度行うことができる。
【００３１】
図３に示す確認画面では、ユーザ選択画面で選択されたユーザ名４４、及び、ユーザに読み取りの設定を選択させるメニュー４５が表示される。メニュー４５では、見開きで読み取りを「する」又は「しない」を選択する略長円形のアイコンが表示される。これらアイコンは、ユーザが操作することにより反転表示又は点滅表示等により強調表示される（図３においてはハッチングを付してある）。なお、見開きで読み取りを行う場合とは、ＡＤＦを用いずに、デジタル複合機の原稿台に一枚ずつ原稿をセットし、読み取りを行う場合である。また、表示部１７には、メニュー４５において選択されたアイコンのパラメータに基づき処理を開始するアイコン４６、これまでの処理を取り消すアイコン４７、及び、機能の設定を行うアイコン４８が表示される。
【００３２】
確認画面において、メニュー４５の、見開きで読み取りを「する」のアイコンが操作された状態で、アイコン４６が操作された場合、原稿台にセットされた原稿の読み取りが開始される。その後、表示部１７には、再度、確認画面が表示され、ユーザは繰り返し原稿の読み取りを行うことができる。
【００３３】
一方、メニュー４５の、見開きで読み取りを「しない」のアイコンが操作された状態で、アイコン４６が操作された場合、原稿の読み取りが終了する。その後、表示部１７には、図４に示す操作画面が表示される。なお、メニュー４５の、見開きで読み取りを「しない」のアイコンが操作された状態で、アイコン４６が操作された場合に、ＡＤＦに原稿がセットされていれば、セットされた原稿の読み取りが開始される構成であってもよい。
【００３４】
また、アイコン４７が操作された場合には、一時的に記憶部１１に記憶されている画像データを破棄し、表示部１７には、図２に示す読取画面が表示される。さらに、アイコン４８が操作された場合、表示部１７には、読み取りする際の解像度、又は、用紙サイズ等の設定を行う設定画面（図示せず）が表示される。
【００３５】
図４に示す操作画面では、原稿から読み取った画像を縮小表示（所謂、サムネイル表示）するプレビュー領域４９と、読み取った画像に対して実行する機能を決定する機能アイコンを表示する操作領域５０とが表示される。なお、図４において、操作領域５０を示す点線は、実際には表示されない。
【００３６】
プレビュー領域４９には、原稿から読み取った画像を縮小した複数の縮小画像４９１が表示される。縮小画像４９１は、ユーザがタッチすることにより反転表示又は点滅表示等により強調表示される（図４では、選択した縮小画像Ａを反転表示してある）。また、プレビュー領域４９には、選択した縮小画像４９１に対応する画像（具体的には、記憶部１１に記憶された画像データ）を編集するアイコン４９２が表示される。縮小画像４９１が選択された状態で、アイコン４９２が操作された場合、図示しない編集画面が表示部１７に表示される。そして、ユーザは、編集画面において、選択した縮小画像４９１を拡大表示し、画像の向きを９０度間隔で回転して変更し、若しくは、選択した縮小画像４９１に対応する、読み取った画像の色又は濃度等を変更する処理が可能となる。
【００３７】
操作領域５０には、”コピー”の文字が付されたコピー機能を選択するための略長円形の機能アイコン５１、”ファクス”の文字が付されたファクシミリ機能を選択するための機能アイコン５２、”メール”の文字が付されたメール機能を選択するための機能アイコン５３、及び”保存”の文字が付された保存機能を選択するための機能アイコン５４が表示してある。各機能アイコン５１〜５４が操作されることで、プレビュー領域４９に表示された縮小画像４９１に対応する画像に対して、操作された機能が開始される。
【００３８】
例えば、機能アイコン５１が操作されることにより、原稿から読み取った画像が印刷部１９から印刷媒体へ印刷される。また、機能アイコン５２が操作されることにより、原稿から読み取った画像の画像データが外部にファクス送信され、機能アイコン５３が操作されることにより、画像データがメールに添付され送信される。さらに、機能アイコン５４が操作されることにより、画像データが、記憶部１１、又は通信部２０からネットワークを介して接続されるコンピュータ等に記憶し、保存される。このように、ユーザは、原稿から読み取った画像を確認しながら、開始する機能を選択できるため、スムーズな操作を行うことができるようになる。
【００３９】
さらに、表示部１７には、図３に示す画面と同様に、これまでの処理を取り消す取消アイコン４７、及び、機能の設定を行うアイコン４８が表示される。
【００４０】
なお、各機能アイコン５１〜５４が操作された場合において、各機能の詳細を設定し、処理を開始する画面が表示部１７に表示されるようにしてもよい。また、予め設定された内容で、機能アイコン５１〜５４が操作されたときに処理が開始される構成であってもよい。そして、この場合、アイコン４８が操作された場合に、各機能の詳細な設定、例えば、用紙サイズの選択、ファクスの送信先、又はメールの送信先等を設定できるようにしてもよい。
【００４１】
次に、以上のように構成されるデジタル複合機における操作受付処理の手順について説明する。図５は、本実施の形態に係るデジタル複合機における操作受付処理の動作を示すフローチャートである。図６は、図５の機能実行処理の動作を示すフローチャートである。なお、この処理はデジタル複合機の制御部１０にて行われる。
【００４２】
デジタル複合機の制御部１０は、ユーザ選択画面を表示部１７に表示し、ユーザが選択された後、表示部１７に図２に示す読取画面を表示する（Ｓ１）。そして、制御部１０は、読取画面において、アイコン４２が操作されたか否かを判定する（Ｓ２）。具体的には、位置取得部１２が、ユーザによるタッチパネル１３への接触位置を取得し、制御部１０は、位置取得部１２が取得した接触位置が、表示部１７に表示したアイコン４２の位置と一致するか否かを判定する。そして、互いの位置が一致する場合は、ユーザによるタッチパネル１３への接触が、アイコン４２に対する接触であると判定する。
【００４３】
アイコン４２が操作されていない場合（Ｓ２：ＮＯ）、制御部１０は、Ｓ２を繰り返す。この場合において、制御部１０は、アイコン４３が操作された場合には、ユーザ選択画面を表示部１７に表示する。アイコン４２が操作された場合（Ｓ２：ＹＥＳ）、制御部１０は、セットされた原稿の読み取りを開始する（Ｓ３）。なお、アイコン４２が操作されたときに、原稿がセットされていない場合、エラーメッセージを表示部１７に表示するようにしてもよい。
【００４４】
原稿の読み取りが開始された場合、画像取得部１４において画像データが取得され、制御部１０は、取得された画像データを記憶部１１に随時記憶する（Ｓ４）。その後、制御部１０は、表示部１７に、図３に示す確認画面を表示する（Ｓ５）。次に、制御部１０は、確認画面において、これまでの処理を取り消すアイコン４７が操作されたか否かを判定する（Ｓ６）。アイコン４７が操作された場合（Ｓ６：ＹＥＳ）、制御部１０は、Ｓ４において記憶部１１に記憶した画像データを消去し、処理をＳ１に戻す。アイコン４７が操作されていない場合（Ｓ６：ＮＯ）、制御部１０は、処理をＳ７に移す。
【００４５】
次に、制御部１０は、さらに原稿の読み取りを行うか否かを判定する（Ｓ７）さらに原稿の読み取りを行う場合（Ｓ７：ＹＥＳ）、具体的には、メニュー４５の、見開きで読み取りを「する」のアイコンが操作された状態で、アイコン４６が操作された場合、制御部１０は、処理をＳ３に戻す。そして、制御部１０は、セットされた原稿の読み取りを開始する（Ｓ３）。さらに原稿の読み取りを行わない場合（Ｓ７：ＮＯ）、具体的には、見開きで読み取りを「しない」のアイコンが操作された状態で、アイコン４６が操作された場合、制御部１０は、処理をＳ８に移す。
【００４６】
なお、確認画面及び後述の操作画面において、アイコン４８が操作された場合、制御部１０は、表示部１７に、読み取りする際の解像度、又は、用紙サイズ等の設定を行う設定画面（図示せず）を表示する。
【００４７】
Ｓ８において、制御部１０は、表示制御部１６を制御し、表示制御部１６において、記憶部１１に記憶した画像データから、サムネイル表示する縮小画像の縮小データを生成する（Ｓ８）。そして、制御部１０は、縮小画像４９１がサムネイル表示される操作画面（図４参照）を表示部１７に表示する（Ｓ９）。制御部１０は、操作画面において、アイコン４７が操作されたか否かを判定する（Ｓ１０）。アイコン４７が操作された場合（Ｓ１０：ＹＥＳ）、制御部１０は、Ｓ４において記憶した画像データを消去し、処理をＳ１に戻す。アイコン４７が操作されていない場合（Ｓ１０：ＮＯ）、制御部１０は、図６に示す機能実行処理を開始し、操作画面における処理を実行する（Ｓ１１）。
【００４８】
操作画面において、制御部１０は、読み取った画像の編集を行うアイコン４９２が操作されたか否かを判定する（Ｓ２１）。アイコン４９２が操作されていない場合（Ｓ２１：ＮＯ）、制御部１０は、処理をＳ２４に移す。アイコン４９２が操作された場合（Ｓ２１：ＹＥＳ）、制御部１０は、プレビュー領域４９の縮小画像４９１が選択されているか否かを判定する（Ｓ２２）。
【００４９】
縮小画像４９１が選択されていない場合（Ｓ２２：ＮＯ）、制御部１０は、処理をＳ２１に戻す。この場合において、制御部１０は、表示部１７に縮小画像４９１を選択する旨のメッセージを表示するようにしてもよい。縮小画像４９１が選択されている場合（Ｓ２２：ＹＥＳ）、制御部１０は、編集画面を表示部１７に表示し、選択された縮小画像４９１に対応する画像、即ち、記憶部１１に記憶した画像データに対して、上述した編集処理を行う（Ｓ２３）。
【００５０】
次に、制御部１０は、機能アイコン５１〜５４の何れかが操作されたか否かを判定する（Ｓ２４）。機能アイコン５１〜５４の何れも操作されていない場合（Ｓ２４：ＮＯ）、制御部１０は、アイコン４７が操作されたか否かを判定する（Ｓ２６）。アイコン４７が操作された場合（Ｓ２６：ＹＥＳ）、制御部１０は、記憶部１１に記憶した画像データを消去し、処理を図５に示すフローチャートのＳ１に戻す。アイコン４７が操作されていない場合（Ｓ２６：ＮＯ）、制御部１０は、処理をＳ２４に戻す。
【００５１】
一方、機能アイコン５１〜５４の何れかが操作された場合（Ｓ２４：ＹＥＳ）、プレビュー領域４９に表示された縮小画像４９１に対応する画像、即ち、原稿から読み取った全画像に対して操作された機能を開始する（Ｓ２５）。例えば、コピー機能を選択するための機能アイコン５１が操作された場合には、制御部１０は、コピー機能を用いて画像データの処理を開始する。その後、制御部１０は、機能実行処理を終了し、図５の処理に戻る。そして、制御部１０は、図５の処理も終了する。
【００５２】
以上説明したように、本実施の形態では、原稿から読み取った画像を縮小した縮小画像４９１と共に、画像に対して実行する処理に対応する機能アイコン５１〜５４を表示することで、ユーザは、コピーまたはファクス等の処理を行う画像を確認しながら、実行する処理を選択できる。このため、ユーザは、スムーズな操作を行うことができ、操作性を向上させることができる。
【００５３】
なお、図４の操作画面における操作手順は、上述の実施の形態に限定されることはない。例えば、ユーザが、操作領域５０の機能アイコン５１〜５４を操作した場合に、選択された縮小画像４９１に対応する画像データに対してのみ機能を開始するようにしてもよい。例えば、縮小画像Ａが選択され、機能アイコン５１が操作された場合、縮小画像Ａに対応する画像データのみを印刷部１９から印刷するようにしてもよい。
【００５４】
図７は、図４に示す画面において、他の操作方法を模式的に示す図である。図７に示すように、プレビュー領域４９に表示された縮小画像４９１を、各機能アイコン５１〜５４上にスライドさせることで、機能アイコン５１〜５４の各機能を開始するようにしてもよい。例えば、図７において、縮小画像Ａに対応する画像データをコピーしたい場合、ユーザは、縮小画像Ａを機能アイコン５１上に、所謂「ドラッグ＆ドロップ」することで、縮小画像Ａに対応する画像データが印刷部１９から印刷される。
【００５５】
また、プレビュー領域４９に表示された縮小画像４９１を、画像データを編集するアイコン４９２上に、所謂「ドラッグ＆ドロップ」することで、画像データの編集が開始される構成であってもよい。
【００５６】
さらに、上述の実施の形態では、表示部１７に表示したアイコンを、タッチパネル１３から選択する構成となっているが、物理的なボタンを設けて表示部１７に表示されたアイコンを選択する構成としてもよい。
【００５７】
以上、本発明の好適な一実施の形態について、具体的に説明したが、各構成及び動作等は適宜変更可能であって、上述の実施の形態に限定されることはない。
【図面の簡単な説明】
【００５８】
【図１】本実施の形態に係るデジタル複合機の構成を示すブロック図である。
【図２】デジタル複合機を操作する際に表示される内容を説明するための模式図である。
【図３】デジタル複合機を操作する際に表示される内容を説明するための模式図である。
【図４】デジタル複合機を操作する際に表示される内容を説明するための模式図である。
【図５】本実施の形態に係るデジタル複合機における操作受付処理の動作を示すフローチャートである。
【図６】図５の機能実行処理の動作を示すフローチャートである。
【図７】図４に示す画面において、他の操作方法を模式的に示す図である。
【符号の説明】
【００５９】
１３  タッチパネル
１７  表示部
４９  プレビュー領域
５０  操作領域
５１，５２，５３，５４  機能アイコン
４９１  縮小画像
【図１】
0004683030.tif 000002
【図２】
0004683030.tif 000003
【図３】
0004683030.tif 000004
【図４】
0004683030.tif 000005
【図５】
0004683030.tif 000006
【図６】
0004683030.tif 000007
【図７】
0004683030.tif 000008